(57)【特許請求の範囲】
【請求項１】
塵芥を貯留する貯留槽と、
上記貯留槽の一端に設けられて塵芥が投入される投入口と、
上記投入口を開閉する開閉機構とを備える塵芥貯留排出装置であって、
上記開閉機構は、上記投入口の蓋部材と、該蓋部材が連結された支持部材とを備え、上下方向に直線移動して投入口を開閉するように構成され、
上記蓋部材は、上記支持部材に対して左右方向の軸心周りに回動自在に連結されていることを特徴とする塵芥貯留排出装置。
【請求項２】
請求項１において、
上記投入口は、斜め上方に向かって開口しており、
開閉機構は、蓋部材の傾きが投入口の傾きと同じになるように、該蓋部材を係止する係止部材を備えていることを特徴とする塵芥貯留排出装置。
【発明の詳細な説明】
【０００１】
【発明の属する技術分野】
本発明は、塵芥を一時貯留した後に排出する塵芥貯留排出装置に関する。
【０００２】
【従来の技術】
従来より、例えば実開平６−２５２０７号公報に示されるように、市場などにおいて排出される大量の塵芥を、塵芥回収車等による回収が行われるまでの間、一時貯留しておく塵芥貯留排出装置が知られている。
【０００３】
上記塵芥貯留排出装置は、ブレード等の圧縮機構が設けられて塵芥を貯留する貯留槽を備えている。この貯留槽には、斜め上方に向かって開口されていて塵芥を投入するための投入口と、塵芥を排出するための排出口とがそれぞれ設けられている。そして、投入口から投入した塵芥を貯留槽内で圧縮して貯留し、排出口から塵芥回収車等へ排出するようにしている。
【０００４】
さらに、この塵芥貯留排出装置には、通常時に投入口を閉鎖して貯留槽内を密閉する一方、塵芥投入時に投入口を開放するための扉が設けられている。すなわち、上記扉は、モータ等の駆動手段により上下方向へスライド可能に設けられており、上方の開放位置へのスライド移動により投入口を開放する一方、下方の閉鎖位置へのスライド移動により投入口を閉鎖するように構成されている。
【０００５】
【発明が解決しようとする課題】
ところで、このような塵芥貯留排出装置は、投入者の安全を考慮して、塵芥を投入口へ投入するときに、貯留槽の圧縮機構を停止するようにしている。すなわち、投入された塵芥が圧縮機構により圧縮されないので、投入口近傍に塵芥が溜まり、塵芥が投入口から溢れる場合がある。
【０００６】
このとき、上記従来のものでは、扉が一定の角度に固定された状態で上下方向にスライド移動するようにしているため、扉が下方へスライド移動するときに、その下端が溢れている塵芥に衝突してしまう。すなわち、扉の下方への移動が塵芥により遮られるため、その扉を閉鎖位置へ移動させようとする駆動手段や扉自体に大きな負担が加わってしまうという問題がある。
【０００７】
本発明は斯かる諸点に鑑みてなされたものであり、その目的とするところは、塵芥貯留圧縮装置の投入口を開閉する開閉機構の構造に改良を加えることにより、開閉機構の駆動手段や、開閉機構自体に大きな負担が加わらないようにして、装置全体の信頼性を向上させることにある。
【０００８】
【課題を解決するための手段】
上記の目的を達成するために、この発明では、投入口の開閉機構を、上下方向に直線移動する支持部材と、該支持部材に対して左右方向の軸心周りに回動自在に連結された投入口の蓋部材とにより構成するようにした。
【０００９】
具体的に、第１の発明は、塵芥を貯留する貯留槽と、上記貯留槽の一端に設けられて塵芥が投入される投入口と、上記投入口を開閉する開閉機構とを備える塵芥貯留排出装置が対象である。そして、上記開閉機構は、上記投入口の蓋部材と、該蓋部材が連結された支持部材とを備え、上下方向に直線移動して投入口を開閉するように構成され、上記蓋部材は、上記支持部材に対して左右方向の軸心周りに回動自在に連結されている。
【００１０】
上記の発明によると、貯留槽に塵芥を投入する場合、投入口の開閉機構を、上方の所定の開放位置へ直線移動させて投入口を開放する。そして、投入口へ塵芥を投入した後、上記開閉機構を、開放位置から下方の閉鎖位置へ直線移動させて投入口を閉鎖し、投入された塵芥を貯留槽内に貯留する。
【００１１】
そして、塵芥が投入口から溢れている場合に、その溢れている塵芥に蓋部材の下端が接触すると、該蓋部材は、支持部材の下方への直線移動に伴って、支持部材に対して左右方向の軸心周りに回動する。したがって、支持部材は、その蓋部材と塵芥との接触に拘わらず、所定の閉鎖位置まで下方へ直線移動する。その結果、開閉機構を駆動する駆動手段や、開閉機構自体に大きな負担は加わらない。
【００１２】
第２の発明は、上記第１の発明において、上記投入口は、斜め上方に向かって開口しており、開閉機構は、蓋部材の傾きが投入口の傾きと同じになるように、該蓋部材を係止する係止部材を備えている。
【００１３】
上記の発明によると、蓋部材は係止部材により係止されており、その蓋部材の傾きが投入口の傾きと同じになっている。そして、塵芥が投入口から溢れていないときに、蓋部材は、その傾きを維持した状態で投入口を閉鎖する。一方、塵芥が投入口から溢れているときに、蓋部材は、支持部材の下方への直線移動に伴って、係止位置から支持部材に対する左右方向の軸心周りに回動する。
【００１４】
【発明の実施の形態】
以下、本発明の実施形態を図面に基づいて詳細に説明する。図５〜図７は、本発明の一実施形態に係る塵芥貯留排出装置を示している。ここで、以下、図５及び図６で上下方向を上下方向とする。また、図６及び図７で右左方向を前後方向、図５で左右方向を左右方向とする。
【００１５】
この塵芥貯留排出装置Ｓは、例えば卸売市場の敷地内に設置されており、該卸売市場から排出される大量の塵芥を、塵芥回収車Ｘにより回収されるまでの間、一時貯留するためのものである。
【００１６】
図６に示すように、卸売市場の敷地内における地面Ｇには、縦穴状に窪むピットＰが形成されており、このピットＰに塵芥貯留排出装置Ｓが設置されている。塵芥貯留排出装置Ｓは、塵芥を貯留する略樽状の貯留槽１１と、該貯留槽１１を載置支持する昇降フレーム２１と、昇降フレーム２１を貯留槽１１と共に昇降させる貯留槽昇降機構４０とを備えている。尚、図１及び図６において、２６は、塵芥を貯留槽１１内へ投入するための容器である。
【００１７】
すなわち、ピットＰには、矩形枠状の昇降フレーム２１が設けられており、この昇降フレーム２１の上に、貯留槽１１が前後方向に沿って配設されている。そして、貯留槽１１は、その軸心周りに回転可能に昇降フレーム２１に支持されている。図６に示すように、昇降フレーム２１には、貯留槽１１を回転駆動するためのモータ７が配設されている。そして、モータ７の出力軸と、貯留槽１１の前側端部とにチェーン８が巻き掛けられている。こうして、モータ７の駆動により貯留槽１１を回転させるようにしている。
【００１８】
貯留槽１１の一端には、塵芥が投入される投入口１２ａが設けられている。すなわち、貯留槽１１の前側端部には、貯留槽１１の内外を連通して、投入される塵芥を貯留槽１１の内部へ案内する筒状のホッパ１２が設けられている。そして、ホッパ１２の前側端部は、貯留槽１１端部よりも前方に突出しており、その先端に投入口１２ａが斜め上方へ向かって開口している。
【００１９】
このホッパ１２は、貯留槽１１の端部に対して回転自在に取り付けられている。すなわち、昇降フレーム２１の前端には、枠状のフレーム２２が立設されており、このフレーム２２に、上記ホッパ１２が固定して設けられている。したがって、投入口１２ａは、貯留槽１１の回転に拘わらず、上記所定の方向へ向かって開口している。そして、この投入口１２ａは、後述の開閉機構７０により開閉するように構成されている。
【００２０】
一方、貯留槽１１の他端である後端には、貯留槽１１内に貯留された塵芥を排出するための排出口１３が形成されている。そして、貯留槽１１の後端には、排出口１３を気密状に開閉するための排出蓋１４と、この排出蓋１４を開閉駆動させるための開閉機構１５とが設けられている。
【００２１】
すなわち、図６に示すように、開閉機構１５は、昇降フレーム２１に立設された図示省略のフレームに固定されたシリンダ１６及び軸受部１７と、軸受部１７に揺動可能に支持され且つシリンダ１６に駆動連結されたアーム１８とから構成されている。アーム１８の先端に排出蓋１４が回転自在に設けられている。このようにして、シリンダ１６の伸縮作動によりアーム１８を揺動させ、排出蓋１４を排出口１３から接離させることで該排出口１３を開閉するようにしている。
【００２２】
また、昇降フレーム２１の後端は、貯留槽１１の排出口１３よりも後方へ突出しており、その後端に排出口１３から排出された塵芥を塵芥回収車Ｘへ搬送するためのベルトコンベヤ２３が設けられている。また、ベルトコンベヤ２３の左右側部には、塵芥を排出口１３から後方へ案内するガイド板２４が設けられている。
【００２３】
そして、貯留槽１１の内壁面には、前後方向に延びる螺旋状の羽根１９が、例えば２枚取り付けられている。そして、モータ７の駆動による貯留槽１１の回転によって、羽根１９を回転させて、貯留槽１１内部の塵芥を投入口１２ａ側から排出口１３側へ圧縮しながら搬送するようにしている。
【００２４】
昇降フレーム２１の周りには、上方に延びる４本の支柱３２が互いに所定の間隔をあけて立設されている。これら支柱３２の上端は、梁部材３３によりそれぞれ連結固定されている。この梁部材３３には、昇降フレーム２１に載置された貯留槽１１を昇降させるための貯留槽昇降機構４０が設けられている。
【００２５】
図６〜図８に示すように、貯留槽昇降機構４０は、チェーンスプロケット機構により構成されている。貯留槽昇降機構４０は、上記梁部材３３に据え付けられた昇降モータ４２を備えており、この昇降モータ４２の出力軸４２ａには駆動スプロケット４３が固定されている。この駆動スプロケット４３と、シャフト４４に固定された従動スプロケット４５とには、エンドレスチェーン４６が巻き掛けられている。こうして、貯留槽昇降機構４０は、昇降モータ４２の回転トルクをシャフト４４へ伝達するようになっている。
【００２６】
図７に示すように、シャフト４４は、左右方向に延びており、左右梁部材３３により回転自在に支持されている。シャフト４４には、従動スプロケット４５以外に４つのスプロケット４７〜５０が固定されている。そして、この左右梁部材３３に上記スプロケット４７〜５０のうちの２つがそれぞれ納められている。
【００２７】
まず、左側（図８で紙面手前側）のチェーンスプロケット機構について説明する。図８に示すように、梁部材３３の前側部分に設けられている２つのスプロケット４７，４８のうち右側（図８で紙面奥側）のスプロケット４８の上側には、前後に並ぶ２つのスプロケット５１，５２がそれぞれ回転自在に支持されている。
【００２８】
そして、梁部材３３の後側部分には、上記シャフト４４と平行に延びるシャフト５３が回転自在に支持されている。このシャフト５３には、上記スプロケット４７，４８に対応するようにスプロケット５４，５５がそれぞれ固定されている。
【００２９】
一方、昇降フレーム２１の四隅には、上方に延びる４つのブラケット２１ａが固着されており、このブラケット２１ａにスプロケット５６がそれぞれ回転自在に支持されている。そして、一端が前側の支柱３２に固定された一条のチェーン５７が、昇降フレーム２１の前側のブラケット２１ａに支持されているスプロケット５６に巻き掛けられ、さらに、スプロケット５２，５１，４８，５５を経て、スプロケット４７とスプロケット５４との間に巻き掛けられている後述のチェーン５８にジョイント金具を介して接続されている。
【００３０】
また、一端が後側の支柱３２に固定された一条のチェーン５８が、昇降フレーム２１の後側のブラケット２１ａに支持されているスプロケット５６に巻き掛けられ、さらに、スプロケット５４，４７を経て、スプロケット４８とスプロケット５５との間に巻き掛けられている上記チェーン５７にジョイント金具を介して接続されている。
【００３１】
こうして、図８において時計回りにシャフト４４が回転することによって、前後のブラケット２１ａを同期してそれぞれ上昇させる一方、反時計回りにシャフト４４が回転することによって、上記ブラケット２１ａを同期して下降させるようにしている。
【００３２】
次に、右側（図８で紙面奥側）のチェーンスプロケット機構について説明する。この右側部分についても上記左側のチェーンスプロケット機構と同様である。すなわち、梁部材３３の前側部分に設けられている２つのスプロケット４９，５０のうち右側（図８で紙面奥側）のスプロケット５０の上側には、前後に並ぶ２つのスプロケット６１，６２がそれぞれ回転自在に支持されている。
【００３３】
梁部材３３の後側部分には、上記シャフト４４と平行に延びるシャフト６３が回転自在に支持されている。このシャフト６３には、上記スプロケット４９，５０に対応するようにスプロケット６４，６５がそれぞれ固定されている。
【００３４】
そして、一端が前側の支柱３２に固定された一条のチェーン５９が、昇降フレーム２１の前側のブラケット２１ａに支持されているスプロケット５６に巻き掛けられ、さらに、スプロケット６２，６１，５０，６５を経て、スプロケット４９とスプロケット６４との間に巻き掛けられている後述のチェーン６０にジョイント金具を介して接続されている。
【００３５】
また、一端が後側の支柱３２に固定された一条のチェーン６０が、昇降フレーム２１の後側のブラケット２１ａに支持されているスプロケット５６に巻き掛けられ、さらに、スプロケット６４，４９を経て、スプロケット５０とスプロケット６５との間に巻き掛けられている上記チェーン５９にジョイント金具を介して接続されている。
【００３６】
こうして、上記左側のチェーンスプロケット機構と同様に、図８において時計回りにシャフト４４が回転することによって、前後のブラケット２１ａを同期してそれぞれ上昇させる一方、反時計回りにシャフト４４が回転することによって、上記ブラケット２１ａを同期して下降させるようにしている。すなわち、昇降モータ４２の駆動により、４つのブラケット２１ａを同期して上下動させて、昇降フレーム２１及び貯留槽１１を上昇又は下降させるようにしている。
【００３７】
尚、図１、図５及び図６において、２７は、臭気用パイプであって、基端がフレーム２２においてテレスコープ状に伸縮可能に支持される一方、先端側が前側の梁部材３３に固定支持されている。
【００３８】
そして、本実施形態に係る塵芥貯留排出装置Ｓは、貯留槽１１の一端に、投入口１２ａを開閉する開閉機構７０を備えており、この開閉機構７０は、上記投入口１２ａの蓋部材７１と、該蓋部材７１が連結された支持部材７２とを備えている。そして、この開閉機構７０は、上下方向に直線移動して投入口１２ａを開閉するように構成されている。
【００３９】
すなわち、図５に示すように、前側の２つの支柱３２の上部には、門型フレーム７３が固定されている。門型フレーム７３は、梁部材３３に固定支持されて左右方向に延びる梁部７３ａと、支柱３２に固定支持されて梁部７３ａの左右端部から下方へそれぞれ延びる柱部７３ｂとから構成されている。そして、この門型フレーム７３の柱部７３ｂには、後述の支持部材７２のローラ７５を上下方向に案内するためのガイド溝７４がそれぞれ形成されている。
【００４０】
上記門型フレーム７３には、ゲート状の支持部材７２が昇降可能に設けられている。支持部材７２は、左右方向に延びる梁部７２ａと、梁部７２ａの左右端部から下方へそれぞれ延びる柱部７２ｂとから構成されている。
【００４１】
支持部材７２の梁部７２ａの左右中央には、下方に延びる矩形板状の蓋部材７１が設けられている。また、支持部材７２の左右の柱部７２ｂの外側には、上記門型フレーム７３のガイド溝７４に案内されるローラ７５が上下に並んで回転自在に支持されている。一方、その左右の柱部７２ｂの内側には、後述のチェーン７６の一端を連結するための上側ジョイント部７７と、そのチェーン７６の他端を連結するための下側ジョイント部７８とがそれぞれ設けられている。
【００４２】
一方、上記支柱３２の上部には、支持部材７２及び蓋部材７１をガイド溝７４に沿って昇降させるための駆動手段であるモータ８０が配設されており、その出力軸８１が門型フレーム７３の梁部７３ａに沿って左右方向に延びるように構成されている。この出力軸８１の左右両側には、駆動スプロケット８２，８２がそれぞれ固定して設けられている。
【００４３】
そして、モータ８０の出力軸８１と、支持部材７２との左右両側のそれぞれにおいて、一端が支持部材７２の上側ジョイント部７７に固定された一条のチェーン７６が、出力軸８１の駆動スプロケット８２に巻き掛けられ、他端が下側ジョイント部７８に連結して固定されている。すなわち、一条のチェーン７６の両端が、支持部材７２の柱部７２ｂを介して接続されている。
【００４４】
このようにして、モータ８０の駆動によって駆動スプロケット８２，８２を回転させ、支持部材７２及び蓋部材７１をガイド溝７４に沿って上昇させることによって、投入口１２ａを開放する一方、支持部材７２及び蓋部材７１を下降させることによって、投入口１２ａを閉鎖するようにしている。
【００４５】
さらに、本発明の特徴として、上記蓋部材７１は、支持部材７２に対して左右方向の軸心周りに回動自在に連結されている。すなわち、図２〜図４に拡大して示すように、支持部材７２の梁部７２ａには、後方に延びる２つのブラケット８５，８５が、左右に所定の間隔をあけて設けられており、支持プレート８６を介して梁部７２ａにそれぞれ取付固定されている。
【００４６】
そして、このブラケット８５の先端に、蓋部材７１の上縁部７１ａが、左右方向に延びる回転軸８７によりピン結合されている。このことにより、蓋部材７１は支持部材７２に回転軸８７周りに回動自在に支持されている。
【００４７】
また、開閉機構７０は、蓋部材７１の傾きが投入口の傾きと同じになるように、該蓋部材７１を係止する係止部材であるストッパ８８を備えている。ストッパ８８，８８は、基端が蓋部材７１の左右上部にボルト等によりそれぞれ固定されており、蓋部材７１の上端側へ向かって延びるように構成されている。ストッパ８８の先端には、略Ｌ字状の爪部８８ａが形成されており、その爪部８８ａの先端が外側（図２において紙面手前側）に向かって突出するようにしている。そして、爪部８８ａは、蓋部材７１が回転軸８７周りに下方へ回動したときに、ブラケット８５の上面にストッパゴム８９を介して当接するように構成されている。
【００４８】
したがって、蓋部材７１の回動可能な下限位置は、ストッパ８８により規制されており、その下限位置において、蓋部材７１は投入口１２ａを気密状に閉塞するように構成されている。尚、蓋部材７１の裏側には、シール部材としてのゲートパッキン９０が設けられている。
【００４９】
一方、蓋部材７１が回転軸８７周りに上方へ回動したときに、蓋部材７１が支持部材７２の梁部７２ａの下端にストッパゴム９１を介して当接するように構成されている。したがって、蓋部材７１の回動可能な上限位置が支持部材７２の梁部７２ａにより規制されている。すなわち、図１に示すように、蓋部材７１は、投入口１２ａの傾きに一致する位置Ｂと、略水平の位置Ｃとの間で回動可能に構成されている。
【００５０】
次に、本実施形態の塵芥貯留排出装置Ｓの作動について説明する。この塵芥貯留排出装置Ｓは、図１及び図６に実線で示すように、通常時には、貯留槽１１は下降されている。このとき、蓋部材７１は、図１におけるＡで示す位置に配置されている。
【００５１】
塵芥を塵芥貯留排出装置Ｓ内に貯留する場合には、モータ７の停止状態で開閉機構７０を作動させて、蓋部材７１により閉塞されている貯留槽１１の投入口１２ａを開放する。すなわち、モータ８０を駆動して、蓋部材７１及び支持部材７２を、門型フレーム７３のガイド溝７４に沿って上昇させる。つまり、蓋部材７１を、図１における位置Ａから位置Ｂへ上方へ直線移動させる。
【００５２】
このとき、図２に実線で示すように、蓋部材７１の自重によってストッパ８８の爪部８８ａと、支持部材７２に固定されているブラケット８５とが当接しているため、蓋部材７１の回転軸８７周りの下方への回動は、ストッパ８８により規制されている。つまり、蓋部材７１の傾きは、投入口１２ａの開口の傾きと一致している。
【００５３】
投入口１２ａへ投入された塵芥は、ホッパ１２を通じて貯留槽１１の内部へ案内される。塵芥の投入が終了した後に、開閉機構７０を再び作動させて投入口１２ａを閉鎖する。すなわち、モータ８０を駆動して、蓋部材７１及び支持部材７２をガイド溝７４に沿って下方へ直線移動させる。続いて、モータ７を駆動して貯留槽１１を回転させる。このことにより、貯留槽１１内の塵芥は、羽根１９により圧縮されながら排出口１３側へ搬送される。
【００５４】
以上の作動が所定回数繰り返されて、貯留槽１１内の塵芥の貯留量が所定量以上になったときに、貯留槽１１内の塵芥を排出する目的で、貯留槽昇降機構４０を作動させて貯留槽１１を上昇させる。すなわち、昇降モータ４２を駆動させてシャフト４４を図８で時計回り方向に回転させることにより、図６に仮想線で示すように、昇降フレーム２１及び貯留槽１１を上昇させる。
【００５５】
その後、塵芥回収車Ｘを排出口１３近傍に停車させ、開閉機構１５を作動させて排出口１３を開放させる。すなわち、シリンダ１６を伸長作動させてアーム１８を軸受部１７周りに揺動させ、排出蓋１４を排出口１３から接離させる。続いて、モータ７を駆動させて羽根１９を回転させると共に、ベルトコンベヤ２３を回転作動させることによって、貯留槽１１内の塵芥を、排出口１３及びベルトコンベヤ２３を介して塵芥回収車Ｘへ搬送する。
【００５６】
また、塵芥の排出が終了した後には、モータ７の駆動を停止すると共に、開閉機構１５を再び作動させて排出口１３を閉塞する。さらに、貯留槽昇降機構４０を作動させて貯留槽１１を下降させておく。このようにして、塵芥の貯留及び排出が繰り返される。
【００５７】
ところで、投入される塵芥が多量であったり、大きい場合には、その塵芥の一部が投入口１２ａから溢れてしまう。そのとき、図１で位置Ｄに示すように、上記実施形態によると、その溢れている塵芥に蓋部材７１の下端が接触すると、蓋部材７１は、支持部材７２の下方への直線移動に伴って、その塵芥に上方へ押されることにより回転軸８７（支持部材７２に対して左右方向の軸心）周りに回動することができる。したがって、支持部材７２は、その蓋部材７１と塵芥との接触に拘わらず、所定の閉鎖位置まで下方へ直線移動することが可能となる。すなわち、開閉機構７０を駆動するモータ８０や、開閉機構７０自体に加わる負担を大幅に軽減させることができ、その結果として、装置全体の信頼性を向上させることが可能となる。
【００５８】
さらに、蓋部材７１はストッパ８８により係止されており、その蓋部材７１の傾きが投入口１２ａの傾きと同じになっているため、塵芥が投入口１２ａから溢れていないときに、蓋部材７１は、その傾きを維持した状態で投入口１２ａとの衝撃を最小限に抑えつつ容易且つ確実に閉鎖することができる。
【００５９】
【発明の効果】
以上説明したように、第１の発明によると、貯留槽の投入口を開閉する開閉機構を備える塵芥貯留排出装置について、開閉機構を、投入口の蓋部材と、蓋部材が連結された支持部材とを備え、上下方向に直線移動して投入口を開閉するように構成すると共に、蓋部材を、支持部材に対して左右方向の軸心周りに回動自在に連結することにより、投入口から溢れている塵芥に蓋部材の下端が接触すると、蓋部材は、支持部材の下方への直線移動に伴って、支持部材に対する左右方向の軸心周りに回動するため、開閉機構を駆動する駆動手段や、開閉機構自体に加わる負担を大幅に軽減させることができる。その結果、装置全体の信頼性を向上させることができる。
【００６０】
第２の発明によると、上記投入口が、斜め上方に向かって開口しており、開閉機構が、蓋部材の傾きが投入口の傾きと同じになるように、蓋部材を係止する係止部材を備えることにより、蓋部材の傾きが投入口の傾きと同じになるように係止されているので、塵芥が投入口から溢れていない通常時に、蓋部材は、その傾きを維持した状態で投入口を容易且つ確実に閉鎖することができる。
【図面の簡単な説明】
【図１】本発明の実施形態に係る塵芥貯留排出装置の要部を拡大して示す側面図である。
【図２】蓋部材と支持部材との連結部分を拡大して示す側面図である。
【図３】蓋部材と支持部材との連結部分を拡大して示す正面図である。
【図４】蓋部材と支持部材との連結部分を拡大して示す平面図である。
【図５】塵芥貯留排出装置の概略構成を示す正面図である。
【図６】塵芥貯留排出装置の概略構成を示す側面図である。
【図７】塵芥貯留排出装置の概略構成を示す平面図である。
【図８】貯留槽昇降機構のチェーン及びスプロケットの配置を示す斜視図である。
【符号の説明】
Ｓ  塵芥貯留排出装置
１１  貯留槽
１２ａ  投入口
７０  開閉機構
７１  蓋部材
７２  支持部材
８７  回転軸
８８  ストッパ（係止部材）
【図１】
0003771181.tif 000002
【図２】
0003771181.tif 000003
【図３】
0003771181.tif 000004
【図４】
0003771181.tif 000005
【図５】
0003771181.tif 000006
【図６】
0003771181.tif 000007
【図７】
0003771181.tif 000008
【図８】
0003771181.tif 000009